(57)【要約】【課題】  容量を可変とした収納容器を提供する。【解決手段】  収納容器１は上方が開放された直方体形状を有し、正面部２に平行な仮想平面３により分割された第１部分４と第２部分５とから構成される。第１部分４に属する第１底面部１０と第２部分５に属する第２底面部１１とは折り曲げ自在に接続され、第１部分４に属する対向側壁の各々の一方となる第１側壁部１２ａにおいて、仮想平面３に接する辺である側面罫線１４ａと、第１側壁部１２ａの上縁２４となる辺とを含む直角三角形の部分であるマチ部２５ａを変形自在に構成している。対向するマチ部２５ｂについても同様である。このように構成することで、第１部分４を第２部分５側に折り返すことが可能となるため、容量を可変することができるので、使い勝手が向上する。【選択図】  図１
2019047947.tif 000002
【特許請求の範囲】
【請求項１】
上方が開放された直方体形状を有し、いずれかの側壁に平行な仮想平面により分割された第１部分と第２部分とからなる収納容器であって、
前記第１部分に属する第１底面部と前記第２部分に属する第２底面部とは折り曲げ自在に接続され、
前記第１部分に属する対向側壁の各々となる第１側壁部において、前記仮想平面に接する辺と、前記第１側壁部の上縁となる辺とを含む直角三角形の部分を変形自在に構成した、収納容器。
【請求項２】
前記仮想平面に接する辺の長さと前記第１側壁部の上縁となる辺の長さとが同一に設定された、請求項１記載の収納容器。
【請求項３】
上方が開放された直方体形状の容器状の開状態と、その内部に収納スペースを有する箱状の閉状態とを切替自在な収納容器であって、
前記容器状の対向する一対の側面部は、その各々が一対の前記側面部の各々の少なくとも一部を構成する少なくとも一対の変形自在なマチ部を備え、
前記容器状の底面部は、背面側の第１底面部と正面側の第２底面部とに罫線を介して回動自在に分割され、
前記開状態において前記容器状の前記第１底面部を前記罫線を中心として正面方向に回動させたとき、前記マチ部が変形して折り畳まれ、前記閉状態に移行可能とする、収納容器。
【発明の詳細な説明】
【技術分野】
【０００１】
この発明は収納容器に関し、特に画材バッグ等に用いられる容量可変の収納容器に関するものである。
【背景技術】
【０００２】
従来、その上部に設けられた蓋が開閉自在な直方体形状の収納容器が存在する。
【０００３】
図５は従来の収納容器の外観を示す斜視図であって、（１）は開状態を示すものであり、（２）は閉状態を示すものである。
【０００４】
まず同図（１）を参照して、収納容器７１は、背面部７２の上縁に蓋７３が折り曲げ自在に接続されており、上方が開放された直方体形状の容器状である。この開状態において、収納容器７１内部に収納物を入れたり、開状態のまま内容物を使用したりすることができる。
【０００５】
又、併せて同図（２）を参照して、収納容器７１は、蓋７３を矢印７５で示すように正面方向（背面部７２から正面部７４に対する方向）に回動させることで、収納容器７１の蓋７３の先端縁７７が正面部７４の上縁７８と重なり、同図（１）に示した開状態から同図（２）に示す閉状態に移行することができる。必要に応じて、蓋７３の先端縁７７と正面部７４の上縁７８とは、磁石等の係合手段により係合される。この閉状態において、収納容器７１はその内部に収納スペースを有する箱状であり、必要に応じて収納容器７１に取り付けられた取っ手等を用いて収納物の持ち運びに用いられる。
【０００６】
又、矢印７６に示すように、閉状態から蓋７３を背面方向に回動させることで、開状態に移行することも可能である。
【０００７】
使用に際しては、収納容器７１は例えば小学校の教育課程において画材バッグとして就学児童に用いられる。まず開状態において、収納容器７１の閉状態の容量にほぼ一致する大きさの水バケツ（上方が開放された複数の区画に分割された直方体形状）を入れ、水バケツの内部に絵具や筆を収納する。そして、上述したように蓋７３を正面方向に回動させ、閉状態として固定する。閉状態のまま写生現場まで収納容器７１を持ち運び、収納物である上述した画材を取り出して使用する。
【発明の概要】
【発明が解決しようとする課題】
【０００８】
しかしながら、上述した従来の収納容器７１にあっては、開状態と閉状態とでその容量が大きくは変わらない。そのため、例えば収納容器７１を上述したように画材バッグとして使用した場合、写生現場にて水バケツには水を入れるため、閉状態において水バケツの中に収納されていた絵具や筆は収納容器７１内部に収納されるスペースが無くなることとなる。そのような場合、絵具や筆は収納容器７１の外部に広げて使用するため、これらの画材の使用が終わった使用者（主に就学児童）が、画材を収納容器７１に収納する際に外部に広げた絵具や筆を入れ忘れる事態が起こり得た。
【０００９】
したがって、容量が可変であり、内部に画材を収納したまま使用できるもの等の使い勝手の良い収納容器が待望されていた。
【００１０】
尚、収納容器７１の側壁部８０にファスナーを設ける等して側壁部８０自体が開くものも従来存在するが、側壁部８０が開いてしまった収納容器７１は、側壁部８０の開いた部分から収納物が漏れ出る虞があった。
【００１１】
収納容器７１は、画材バッグ以外の用途に使用する場合にも同様に容量を可変として使い勝手が向上したものが望ましい。
【００１２】
この発明は、上記のような課題を解決するためになされたもので、容量を可変とした収納容器を提供することを目的とする。
【課題を解決するための手段】
【００１３】
上記の目的を達成するために、請求項１記載の発明は、上方が開放された直方体形状を有し、いずれかの側壁に平行な仮想平面により分割された第１部分と第２部分とからなる収納容器であって、第１部分に属する第１底面部と第２部分に属する第２底面部とは折り曲げ自在に接続され、第１部分に属する対向側壁の各々となる第１側壁部において、仮想平面に接する辺と、第１側壁部の上縁となる辺とを含む直角三角形の部分を変形自在に構成したものである。
【００１４】
このように構成すると、第１部分を第２部分側に折り返すことが可能となる。
【００１５】
請求項２記載の発明は、請求項１記載の発明の構成において、仮想平面に接する辺の長さと第１側壁部の上縁となる辺の長さとが同一に設定されたものである。
【００１６】
このように構成すると、第１底面部が閉状態において正面部と対向する部分となる。
【００１７】
請求項３記載の発明は、上方が開放された直方体形状の容器状の開状態と、その内部に収納スペースを有する箱状の閉状態とを切替自在な収納容器であって、容器状の対向する一対の側面部は、その各々が一対の側面部の各々の少なくとも一部を構成する少なくとも一対の変形自在なマチ部を備え、容器状の底面部は、背面側の第１底面部と正面側の第２底面部とに罫線を介して回動自在に分割され、開状態において容器状の第１底面部を罫線を中心として正面方向に回動させたとき、マチ部が変形して折り畳まれ、閉状態に移行可能とするものである。
【００１８】
このように構成すると、収納容器の開状態の容量が、閉状態の容量よりも大きくなる。
【発明の効果】
【００１９】
以上説明したように、請求項１記載の発明は、第１部分を第２部分側に折り返すことが可能となるため、容量を可変することができるので、使い勝手が向上する。
【００２０】
請求項２記載の発明は、請求項１記載の発明の効果に加えて、第１底面部が閉状態において正面部と対向する部分となるため、直方体形状の箱となり、収納容器の安定性が向上する。
【００２１】
請求項３記載の発明は、収納容器の開状態の容量が、閉状態の容量よりも大きくなるため、容量を可変することができるので、使い勝手が向上する。
【図面の簡単な説明】
【００２２】
【図１】この発明の第１の実施の形態による収納容器の開状態の外観を示す斜視図である。
【図２】図１で示した収納容器の開状態から閉状態に移行する第１の途中状態を示す斜視図である。
【図３】図１で示した収納容器のマチ部が外側に折り畳まれる場合の開状態から閉状態に移行する様子を示す斜視図であって、（１）は第２の途中状態を示すものであり、（２）は閉状態のものである。
【図４】図１で示した収納容器のマチ部が内側に折り畳まれる場合の開状態から閉状態に移行する様子を示す斜視図であって、（１）は第２の途中状態を示すものであり、（２）は閉状態のものである。
【図５】従来の収納容器の外観を示す斜視図であって、（１）は開状態を示すものであり、（２）は閉状態を示すものである。
【発明を実施するための形態】
【００２３】
図１はこの発明の第１の実施の形態による収納容器の開状態の外観を示す斜視図である。
【００２４】
同図を参照して、収納容器１は、上方が開放された直方体形状を有する容器状の開状態であって、側壁（正面部２）に平行な仮想平面３により分割された第１部分４と第２部分５とから主に構成されている。又、第１部分４に属する第１底面部１０と第２部分５に属する第２底面部１１とは折り曲げ自在に接続されている。第１底面部１０と第２底面部１１とは開状態において面一である。
【００２５】
即ち、仮想平面３は、第１部分４と第２部分５の境界であり、容器状の底面部９に正面部２と平行に形成された罫線１３と、罫線１３が左側面部７及び右側面部８の各々と接続される箇所から上方に延びるように形成された側面罫線１４ａ、１４ｂとを通る平面である。
【００２６】
換言すると、収納容器１の容器状の底面部９は、背面側の第１底面部１０と正面側の第２底面部１１とに折り曲げ自在な罫線１３を介して分割されている。又、左側面部７及び右側面部８には、罫線１３と左側面部７及び右側面部８の各々とが接続される箇所である第１頂点２１から、上方に延びるように側面罫線１４ａ、１４ｂが形成されている。
【００２７】
又、第１部分４に属する対向側壁（容器状の左側面部７及び右側面部８のうち第１部分４に属する箇所）の各々の一方となる第１側壁部１２ａにおいて、仮想平面３に接する辺（側面罫線１４ａ）と、第１側壁部１２ａの上縁２４となる辺とを含む直角三角形の部分は、軟質樹脂シート製のマチ部２５ａとして変形自在に構成されている。対向側壁の各々の他方となる第１側壁部１２ｂにおいても同様に、マチ部２５ｂが構成されている。尚、収納容器１のマチ部２５ａ、２５ｂを除く部分は硬質樹脂からなる。
【００２８】
マチ部２５ａは、上述した第１頂点２１と、側面罫線１４ａと左側面部７の上縁との接続箇所である第２頂点２２と、左側面部７の上縁と背面部６との接続箇所である第３頂点２３とを結ぶ三角形シート状である。マチ部２５ａと対になるマチ部２５ｂも右側面部８において同様の構成である。
【００２９】
換言すると、容器状の対向する一対の側面部（左側面部７及び右側面部８）は、その各々が一対の側面部７、８の各々の一部を構成する一対のマチ部２５ａ、２５ｂを備える。
【００３０】
又、本実施の形態にあっては、仮想平面３に接する辺（側面罫線１４ａ）の長さと第１側壁部１２ａの上縁２４となる辺の長さとが同一に設定されている。そのため、マチ部２５ａは直角二等辺三角形に構成されている。更には、第１側壁部１２ａのマチ部２５ａ以外の部分であるフラップ３０ａもマチ部２５ａと合同形状の直角二等辺三角形に構成されている。したがって、第１側壁部１２ａは正方形状に構成されている。又、第２部分５に属する対向側壁の各々となる第２側壁部１５ａは、第１側壁部１２ａと合同形状の正方形に構成されている。尚、これらと対向するマチ部２５ｂ、フラップ３０ｂ、第１側壁部１２ｂ及び第２側壁部１５ｂも同様である。以上のように構成する効果については後述する。
【００３１】
このような収納容器１は、矢印２６で示すように、第１部分４を第２部分５側に折り返すことが可能であるので、以下説明する。
【００３２】
図２は図１で示した収納容器の開状態から閉状態に移行する第１の途中状態を示す斜視図である。
【００３３】
同図を参照して、収納容器１は、上述した図１で示した開状態から、後述するようにその内部に収納スペースを有する箱状の閉状態に移行し始めた直後の状態である。
【００３４】
上述したように、罫線１３が折り曲げ自在であると共に、マチ部２５ａ、２５ｂは変形自在であるため、第１底面部１０（第１部分４）を罫線１３を中心として正面方向に回動させることが可能である。同図は、約１０°正面方向に回動させた状態を示す。
【００３５】
次に、マチ部２５ａ、２５ｂは外側及び内側のいずれ側に折り畳まれることも可能である。
【００３６】
図３は図１で示した収納容器のマチ部が外側に折り畳まれる場合の開状態から閉状態に移行する様子を示す斜視図であって、（１）は第２の途中状態を示すものであり、（２）は閉状態のものである。
【００３７】
まず同図（１）を参照して、第１底面部１０（第１部分４）は更に正面方向への回動を進め、約３０°正面方向に回動した状態である。
【００３８】
閉状態への移行が進むにつれ、マチ部２５ａ、２５ｂの上述した直角三角形の斜辺に当たる縁２８ａ、２８ｂの各々と、直角三角形の上述した仮想平面に接する辺に当たる側面罫線１４ａ、１４ｂの各々とが接近する。この２辺の接近に伴い、マチ部２５ａ、２５ｂは変形し、外側に山折りに折り畳まれて直角三角形の前後方向（正面―背面方向）の中心線に当たる折れ目２９ａ、２９ｂが形成されている。
【００３９】
次に同図（２）を併せて参照して、上述した第１底面部１０は約９０°正面方向に回動して正面方向への移動を完了し、収納容器１は箱状の閉状態に移行した状態である。
【００４０】
閉状態の収納容器１において、第１底面部１０は箱状の背面部に相当し、背面部６は箱状の平面部の蓋に相当する。
【００４１】
又、箱状の左側面部は、第２側壁部１５ａと、第２側壁部１５ａの一部の外方を覆うフラップ３０ａと、第２側壁部１５ａとフラップ３０ａとの隙間に折り畳まれたマチ部２５ａとから構成されている。尚、箱状の右側面部についても同様である。
【００４２】
上述したように、マチ部２５ａは直角二等辺三角形状に構成されているため、第１底面部１０（第１部分４）を正面方向に回動させて第３頂点２３が左側面部７の上縁３１上のいずれかの箇所に到達するのは、９０°回動したときとなる。そのため、同図（２）に示すような収納容器１の閉状態において、第１側壁部１２ａと背面部６との接続箇所である辺３２が左側面部７（このうち第２側壁部１５ａに属する部分）の上縁３１と平行になり、上下方向位置も揃うこととなる。このように、第１側壁部１２ａと背面部６との接続箇所である辺３２が左側面部７の上縁３１と整列するため、即ち、第１底面部１０が閉状態において正面部２と対向する部分となるため、直方体形状の箱となり、収納容器１の安定性が向上する。尚、マチ部２５ｂについても同様である。
【００４３】
更に、上述した第２部分に属する対向側壁の各々となる第２側壁部１５ａ、１５ｂが第１側壁部１２ａ、１２ｂと合同形状であるため、開状態における背面部６の先端縁３３が閉状態において正面部２の上縁３４と整列する。そのため、収納容器１の安定性が更に向上する。
【００４４】
更に、上述したようにフラップ３０ａとマチ部２５ａが同様の直角二等辺三角形状であるため、閉状態への移行に伴ってマチ部２５ａは外側に折り畳まれる場合であっても、閉状態においてマチ部２５ａはフラップ３０ａの裏側（フラップ３０ａと第２側壁部１５ａとの隙間）に完全に収納され、外部からマチ部２５ａが視認されることを防止する。尚、このような効果はフラップ３０ａがマチ部２５ａより大きい場合にも発揮される。又、マチ部２５ｂについても同様である。
【００４５】
このようにして、収納容器１は、上方が開放された直方体形状の容器状の開状態（図１参照）と、その内部に収納スペースを有する箱状の閉状態（図３（２）参照）とを第１部分を第２部分側に折り返すことで自在に切り替えることができ、その容量を可変とすることができるため、使い勝手が向上する。
【００４６】
尚、閉状態において、背面部６の先端縁３３と正面部２の上縁３４とは位置が揃っており、正面部２と上方を覆う蓋となった背面部６とは、磁石、粘着テープ、面ファスナー、切欠とツメ、雄ねじと雌ねじ等の係合手段と被係合手段とを設けることで、閉状態を固定可能とすることができる。
【００４７】
次に、図４は図１で示した収納容器のマチ部が内側に折り畳まれる場合の開状態から閉状態に移行する様子を示す斜視図であって、（１）は第２の途中状態を示すものであり、（２）は閉状態のものである。
【００４８】
尚、マチ部が閉状態への移行に伴って内側に折り畳まれること以外は、図３で示した状態と基本的に同様であるため、相違点を中心に以下説明する。
【００４９】
同図（１）を参照して、閉状態への移行に伴って、マチ部２５ａ、２５ｂは変形し、内側に谷折りに折り畳まれて直角三角形の前後方向（正面―背面方向）の中心線に当たる折れ目３９ａ、３９ｂが形成されている。
【００５０】
又、同図（２）を併せて参照して、フラップ３０ａは第２側壁部１５ａの裏側（内部方向）に収納される。そのため、マチ部２５ａがフラップ３０ａより大きい場合であっても、収納容器１の内部に収納されることとなり、外部からマチ部２５ａが視認されることを防止できる。尚、マチ部２５ｂについても同様である。
【００５１】
以上説明したような収納容器１は、例えば従来の収納容器と同様に画材バッグとして使用することができる。閉状態において水バケツ、パレット、絵具や筆といった画材を箱状の収納容器１の内部に収納し持ち運ぶことができる。又、使用時には開状態として容量を大きくし、上方が開放された容器状の収納容器の内部において、水を入れた水バケツやその他の画材を並べて使用することができる。そのため、使用者が画材の使用を終えて片付ける際にも画材を入れ忘れる虞が減少し、使い勝手が更に向上する。
【００５２】
又、開状態（図１参照）において、収納容器１は、第１底面部１０と第２底面部１１とが面一である（同一平面上にある）ため、設置面積当たりの容量が大きくなっており、使い勝手が更に向上する。
【００５３】
尚、上記の実施の形態では、仮想平面が正面部と平行であったが、いずれかの側壁と平行であれば良い。その場合、側壁である正面部、背面部、左側面部及び右側面部の位置関係が順繰りにずれるのみであり実質的に同一である。
【００５４】
又、上記の実施の形態では、マチ部が側面部（第１側壁部）の一部である直角三角形の部分を構成していたが、側面部（第２側壁部の領域を含む）における当該直角三角形の部分を含む更に広い領域を構成するものであっても良い。又、マチ部が当該直角三角形の部分に代えて、図１を参照しながら、開状態において第１頂点２１を頂点とし、側面部（左側面部７）の上縁３１に含まれる任意の長さの線分を底辺とする部分（１又は複数）として構成されていても良い。
【００５５】
更に、上記の実施の形態では、マチ部が直角二等辺三角形の部分を構成していたが、他の形状であっても良い。例えば仮想平面に接する辺が第１側壁部の上縁となる辺より長い（又は短い）ものであっても良く、この場合でも開状態における背面部が閉状態において上方の一部を覆うことができ、背面部の先端縁にフラップを設ける等して閉状態において上方を完全に覆うように使用することも可能である。
【００５６】
更に、上記の実施の形態では、マチ部が軟質樹脂シート製であったが、開状態から閉状態に移行可能な程度に変形自在な他の素材であっても良い。例えばゴム製シート状であっても良く、この場合マチ部が伸縮・弾性変形することも折り畳まれることに含まれる。更に、必ずしもマチ部全体が変形自在でなくとも良く、少なくともその外縁及び閉状態への移行に伴って折り曲げられる位置（上記の第１の実施の形態の場合、直角三角形の３辺及び折れ目）が折り曲げ自在であればマチ部が変形自在であることに含まれる。
【００５７】
要するに、マチ部は、開状態において容器状の第１底面部を罫線を中心として正面方向に回動させたとき、マチ部が変形して折り畳まれ、閉状態に移行可能となるものであれば良い。
【００５８】
更に、上記の実施の形態では、底面部に罫線が形成されて第１底面部と第２底面部とが折り曲げ自在に接続されていたが、罫線はあらかじめ形成されたものでなくとも良く、折り曲げる段階で形成される概念的なものや、ミシン目や、ヒンジ状の構造等であっても良い。
【００５９】
更に、上記の実施の形態では、収納容器を開状態から閉状態に移行する際に第１部分を第２部分側に折り返していたが、第２部分を第１部分側に折り返すことも可能である。
【００６０】
更に、上記の実施の形態では、第２側壁部が第１側壁部と合同形状であったが、合同形状でなくとも良い。例えば、第２側壁部の前後方向長さが第１側壁部の前後方向長さよりも長いものであっても良い。
【００６１】
更に、上記の実施の形態では、収納容器を画材バッグとして使用する例を挙げたが、他の用途に用いても良い。例えば、化粧道具入れ、釣り具入れ、筆箱等としても好適に用いられる。
【００６２】
更に、上記の実施の形態では、第１側壁部のマチ部以外の部分であるフラップもマチ部と合同形状の直角二等辺三角形に構成されていたが、他の形状であっても良い。又、第１側壁部を均等に分割するものでなくとも良い。
【００６３】
更に、上記の実施の形態では、第１側壁部は正方形状に構成されていたが、他の形状であっても良い。
【００６４】
更に、上記の実施の形態では、背面部が閉状態において上方を覆う蓋として構成されていたが、背面部を更に延長したり、その先端縁に延長部を折り曲げ自在に接続しても良い。このような延長部分は上方を覆う蓋としての補完部分としても良いし、閉状態の固定手段として正面部等との係合に用いても良い。
【００６５】
更に、本発明の他の実施の形態として、収納容器の第１部分と第２部分との境界（仮想平面上）において仕切板を設けても良い。このように構成することで、第１部分と第２部分との区画を強固に固定でき、例えば画材バッグとして使用する場合に第２部分に水バケツを収納しておき、開状態で使用する際に水バケツが倒れることを防止することができる。又、このような仕切板は、仕切板と側面罫線との両側の接続箇所に、上方に先広がりな三角形シート状の変形自在な一対の仕切板マチ部を設けても良い。このように構成することで、開状態において仕切板を背面側（又は正面側）に傾斜させることが可能となり、第２部分（及び第１部分）の容量を可変することができ、使い勝手がより向上する。
【００６６】
又、本発明の更に他の実施の形態として、正面部と左右側面部との接続箇所に、上方に先広がりな三角形シート状の変形自在な一対の正面部マチ部を設けても良い。このように構成することで、開状態において正面部を正面方向に傾斜させることが可能となり、第２部分の容量を更に大きくすることができ、使い勝手がより向上する。
【００６７】
更に、上記の実施の形態にあっては、第１部分を第２部分側に折り返す、いわば片開き構造であったが、両開き構造であっても良い。即ち、第２部分の背面方向の第１部分だけでなく、正面方向に第１部分と同様の第３部分を更に設けても良い。この場合、収納容器の開状態から、第１部分を第２部分側（正面方向）に折り返すと共に、第３部分を第２部分側（背面方向）に折り返すことで閉状態に移行する。このとき、閉状態において上方を覆う蓋となる、第１部分の背面部及び第３部分の正面部は、重なりあうように構成しても良く、このように構成することで、第２側壁部の前後方向長さ（即ち、第２部分の容量）を自由に調整することが可能となり、使い勝手がより向上する。
【符号の説明】
【００６８】
１…収納容器
２…正面部
３…仮想平面
４…第１部分
５…第２部分
１０…第１底面部
１１…第２底面部
１２…第１側壁部
１３…罫線
１４…側面罫線
２４…上縁
２５…マチ部
尚、各図中同一符号は同一又は相当部分を示す。
【図１】
2019047947.tif 000003
【図２】
2019047947.tif 000004
【図３】
2019047947.tif 000005
【図４】
2019047947.tif 000006
【図５】
2019047947.tif 000007